(57)【要約】【課題】生体認証時の操作性の向上を図り、また生体情報の認識率の向上が期待できる自動取引装置を得る。【解決手段】  利用者の指又は手の生体情報を取得する生体認証装置を回転駆動する回転機構を介して自動取引装置に取り付ける。生体認証時に、記録媒体に登録された利用者の個人情報を制御部で認識し、この制御部からの命令によって生体認証装置を利用者の使用し易い位置に自動的に回転制御する。【選択図】  図１５
2007058613.tif 000002
【特許請求の範囲】
【請求項１】
個人認証を行うために指又は手の生体情報を取得する生体認証装置を備えた自動取引装置において、該生体認証装置を該自動取引装置に取り付ける取付部にあって該生体認証装置を回転駆動する回転機構と、生体認証時に、記録媒体に登録された利用者の個人情報を取得して認識処理する制御部と、を有し、該制御部で認識された利用者の該個人情報に従い該制御部からの指令によって該回転機構を制御することを特徴とする自動取引装置。
【請求項２】
請求項１記載の自動取引装置において、利用者に対して取引のための項目を表示する操作入力画面を有し、該操作入力画面上に表示された所定の項目が指定されたことを該制御部により検知して、該回転機構を制御して該生体認証装置を回転することを特徴とする自動取引装置。
【請求項３】
請求項２記載の自動取引装置において、該操作入力画面で指定された角度まで該生体認証装置が回転した後の位置情報を該制御部により取得して、該制御部又は該記録媒体に登録することを特徴とする自動取引装置。
【請求項４】
請求項１乃至３のいずれかに記載の自動取引装置において、該制御部は該生体認証装置がどの位置に実装されているかを示す位置情報を登録されており、該位置情報に基づいて該生体認証装置の回転角度を制御することを特徴とする自動取引装置。
【請求項５】
請求項１乃至４のいずれかに記載の自動取引装置において、生体情報の登録時に、優先順位を設定して複数の部位を登録することを特徴とする自動取引装置。
【発明の詳細な説明】
【技術分野】
【０００１】
本発明は、自動取引装置に係り、特に指や手の生体情報を用いて個人認証を行う生体認証装置を備えた自動取引装置に関する。
【背景技術】
【０００２】
指や手の生体情報を用いて利用者の個人認証を行い、認証結果が正しい場合にのみその利用者による取引を許容する生体認証機能を具備した、金融機関の現金自動取引装置（ＡＴＭ）が普及しつつある。
【０００３】
一般に、指や手の生体を用いて個人認証を行う自動取引装置において、生体認証装置を取付ける位置は、利用者の大半が右利きであることから右手で認証操作をすることを想定し、自動取引装置のフロントパネルの右寄りに固定して取付けられていることが多い。生体認証装置を自動取引装置に実装した技術に関しては、例えば特開２００１−６７５２３公報（特許文献１）がある。
【０００４】
【特許文献１】特開２００１−６７５２３公報
【発明の開示】
【発明が解決しようとする課題】
【０００５】
通常、利用者が生体情報を登録する場合には、金融機関の窓口に出向いてそこで遊動可能な生体認証装置を使用して生体情報の登録を行う。この為、生体認証装置を利用者の使い易い位置や角度に動かして、自然な体勢で登録操作を行うことが出来る。しかし、自動取引装置に備えられる生体認証装置は右手で認証操作することを想定して、装置の操作面の右寄りに取り付けられることが多く、また、盗難防止ために生体認証装置は操作面に強固に固定されている。
そのため、利き手に関わらず左手で生体情報を登録した人の場合は不便であり、通常は次のような方法で認証操作をするしか無い。
【０００６】
１つの方法としては、例えば利用者が体ごと右に移動して生体認証装置の正面からずれて認証操作を行う方法である。この方法は、自動取引装置の右側に壁が有る場合には壁が邪魔となり、移動することが出来ず認証操作が行いづらくなる。他の方法としては、利用者が腕をひねらせて認証操作をする方法である。この方法は非常に無理な体勢での操作となり、登録時との指や手の圧力や角度の相違が発生してしまい、正しく認証されず、認識率の低下につながる可能性がある。仮に、生体認証装置を操作面の左寄りに実装した場合でも、登録時に右手で登録をした利用者にとっては上述と同様の問題が発生する。
【０００７】
そこで、本発明の目的は、生体認証時の操作性の向上を図り、また生体情報の認識率の向上が期待できる自動取引装置を提供することにある。
【課題を解決するための手段】
【０００８】
本発明に係る自動取引装置は、個人認証を行うために指又は手の生体情報を取得する生体認証装置を備えた自動取引装置において、生体認証装置を自動取引装置に取り付ける取付部にあって生体認証装置を回転駆動する回転機構と、生体認証時に、記録媒体に登録された利用者の個人情報を取得して認識処理する制御部と、を有し、制御部で認識された利用者の個人情報に従い制御部からの指令によって回転機構を制御する。
好ましい例では、請求項１記載の自動取引装置において、利用者に対して取引のための項目を表示する操作入力画面を有し、操作入力画面上に表示された所定の項目が指定されたことを制御部により検知して、回転機構を制御して生体認証装置を回転する。
また、一例では、操作入力画面で指定された角度まで生体認証装置が回転した後の位置情報を制御部により取得して、制御部又は記録媒体に登録する。
また、一例では、制御部は生体認証装置がどの位置に実装されているかを示す位置情報を登録されており、位置情報に基づいて生体認証装置の回転角度を制御する。
更に、一例では、生体情報の登録時に、優先順位を設定して複数の部位を登録する。
【発明の効果】
【０００９】
本発明によれば、利用者が操作し易い角度に生体認証装置を自動的に回転させることが出来るので、操作性が向上し更には生体情報の認識率の向上が期待できる。
【発明を実施するための最良の形態】
【００１０】
以下、本発明の一実施例について図面を用いて説明する。尚、本実施例では指静脈情報での認証実施形態について説明するが、生体情報としては、指静脈情報以外の情報、例えば指紋でもよく、また指以外の部位例えば手相等の情報でもよい。
【００１１】
図１は、一実施例における生体認証装置を有するＡＴＭの外観図を示す。
ＡＴＭ１の操作面２には、生体認証装置３と操作画面２６が実装されている。生体認証装置３は利用者の指静脈情報を取得するセンサ等を含む。また、操作画面２６は液晶表示器及び接触式の入力手段としてタッチパネルを備える操作入力表示部である。
ＡＴＭ１の内部には、ＡＴＭの各機構部を制御する制御部４が実装されており、制御部４と各機構部はケーブルで接続されている。制御部４はプロセッサ及びメモリを備え、取引のために各機構部を制御すると共に、生体情報や各種情報を処理し、記憶する。
【００１２】
図２は、一実施例におけるＡＴＭの内部構成図を示す。
ＡＴＭ１は、ＩＣカードの記録情報を読取るカード読取り部６、生体認証装置３を制御する生体認証部７、硬貨入出金部８、紙幣入出金部９、通帳記帳部１０、操作入力表示部１１等の機構部、及びこれら機構部を制御する制御部４を備えている。
利用者に付与された記録媒体であるＩＣカード５は、利用者の生体情報（指静脈情報）、及び住所、氏名等を含む個人情報を登録して記憶している。また、個人情報の１つとして、指静脈情報を登録した手が右か左かを示す情報（登録手１８（図４））を記憶している。この情報は生体認証装置３を回転制御するための制御情報となる。
【００１３】
ＩＣカード５がＡＴＭ１に挿入されると、カード読取り部６でＩＣカードの記録情報が読み取られ、その情報は制御部４へ転送される。制御部４では、受け取った個人情報を解読して処理し、生体認証部７や硬貨入出金部８、紙幣入出金部、や通帳記帳部１０、顧客操作部１１等の機構部に適宜、指令を出す。その指令を受けて、生体認証部７や硬貨入出金部８、紙幣入出金部９、通帳記帳部１０、顧客操作部１１の各機構部は、機構部固有の制御動作を行なうことになる。例えば、生体認証部７は、制御部４で取得したＩＣカードの記録情報である登録手情報を受けて、生体認証装置３を自動的に回転させる。
【００１４】
図１５は、一実施例における生体認証装置３の回転機構を示す。Ａ部は回転機構の詳細を示す分解斜視図である。
ＡＴＭ１の操作面２に生体認証装置３を取り付ける取付部に、この回転機構が実装される。生体認証装置３は、操作面２に垂直な回転軸４０を有したモーター４１に回転台４２を介して固定されており、回転軸４０が矢印a方向に回転すると、回転台４２に固定された生体認証装置３も矢印b方向に回転する。この場合、回転方向、角度、範囲は矢印aとb共に同じである。なお、回転駆動力を発生させるモーター４１はＡＴＭ１の筐体等の固定部に固定されている。しかして、制御部４からの制御情報によって回転角度が指定されると、その角度だけモーター４１の回転軸４０が回転し、生体認証装置３も同じ角度だけ回転駆動される。
【００１５】
図３は、一実施例における指静脈情報の登録動作を示すフローチャートである。
通常、利用者本人が金融機関等の窓口に出向き、カウンター等の上に置いてある遊動可能な生体認証装置で指静脈情報を登録する。まず、ＩＣカードリーダーにＩＣカード５を挿入してＩＤと名前情報を読み込む（Ｓ１）。次に、第一指静脈情報を登録する（Ｓ２）。次に、第二指静脈情報を登録する（Ｓ３）。次に、第三指静脈情報を登録する（Ｓ４）。ここで、第一から第三指までの静脈情報を確認し（Ｓ５）、変更が無ければＩＣカード５に登録する（Ｓ６）。もし、変更したい場合は、Ｓ２に戻り再度登録作業をやり直す。
【００１６】
本実施例では第一指に左手中指、第二指に右手中指、第三指に右手小指を登録する場合の実施例を示す。登録する情報としては、静脈情報の他に右手もしくは左手、さらに指の種類まで登録されている。登録する媒体としては、ＩＣチップを内蔵したＩＣカード５が好ましい。そのＩＣカードは出金や入金の取引時に使用されるもので、利用者個人が保管し所持する。以上で、利用者の指静脈情報の登録作業は終了する。
【００１７】
図４は、一実施例におけるＩＣカードに登録される情報の構成例を示す。
指静脈情報の登録時、ＩＣカード５には、個人ＩＤ番号１２、名前１３、第一指静脈情報１４、第二指静脈情報１５、第三指静脈情報１６等のデータが登録される。また、指静脈情報としては、静脈パターン１７、右手か左手かを示す登録手１８、及びどの指の静脈情報かを示す登録指１９の情報が登録される。
【００１８】
図５は、一実施例における指静脈情報を登録する場合の初期操作画面を示す。
ＩＤや名前情報は、新規にＩＣカードを作成する時に登録される。操作画面２６上にはその登録されているＩＤや名前の他に第一指ボタン２０、第二指ボタン２１、第三指ボタン２２が表示される。第一指ボタン２０は第一指静脈情報を登録する時、第二指ボタン２１は第ニ指静脈情報を登録する時、第三指ボタン２２は第三指静脈情報を登録する時に、それぞれ操作される。利用者はこれらの中から登録したい順番の指ボタンを選択して操作する。
【００１９】
例えば、第一指ボタンを操作すると、図６に示すような指静脈情報登録画面が表示され、第一指静脈情報としてどの指を登録するかを選択できる。本実施例では第一指静脈情報として登録する左手中指ボタン２３を操作して指静脈情報を登録する。次に第二指静脈情報として右手中指、第三指静脈情報として右手小指を順番に登録する。操作方法は第一指静脈情報登録作業と同じ作業で第二指、第三指静脈情報を登録する。第一指、第二指、第三指の指静脈情報の読み込みが終わると、次に登録した静脈情報の確認画面へ移る。
【００２０】
図７に示すような指静脈情報確認画面が表示され、操作画面２６には、ＩＣカードに登録された第一指から第三指までの指静脈情報が表示される。次に、この読込んだ指静脈情報に対し変更が無い場合は登録ボタン２４を操作し、もし何らかの理由で変更や修正をしたい場合は変更・修正ボタン２５を操作する。ここで、登録ボタン２４を操作した場合に初めてＩＣカードに指静脈情報が登録される。また、変更・修正ボタン２５を操作した場合は図５の画面に戻り、再度指静脈情報を読込み直すことが出来る。
【００２１】
図８は、一実施例における指静脈による認証動作のフローチェートを示す。
まず、先にＩＣカードに登録された利用者の指静脈情報を含む登録情報をカード読取り部６で読取る（Ｓ７）。制御部４は、読取られたＩＣカード５の登録情報から登録手１８及び指静脈情報１４，１５，１６を認識する。そして、登録手１８が「左」の場合、第一指の情報である左手中指の置き易い角度まで生体認証装置３を回転制御する（Ｓ８）。この場合、制御部４には、生体認証装置３がＡＴＭ１のどの場所に実装されているかの情報も登録されており、生体認証装置３の自動回転角度にその位置情報が反映されることで、生体認証装置３がＡＴＭ１のどの場所に実装されていても、利用者２７がＡＴＭ１の中央に立って操作し易い角度に生体認証装置３が向くことになる。
【００２２】
次に、制御部４により第一指が認証に使用出来ると判断した場合（Ｓ９）、操作面２に実装された通常の取引項目を表示するタッチパネル式の操作画面２６上に表示された操作選択画面にて、角度調整画面ボタン３１を操作する。すると、次に操作画面２６上に角度調整画面が表示され、指静脈情報を読み取って自動的に回転した生体認証装置３の回転角度の微調整が出来る（Ｓ１０）。微調整が完了し、利用者が最も指を置き易い角度に生体認証装置３が回転したら指静脈認証操作を実施する（Ｓ１１）。この時、微調整後の位置をＩＣカードに登録するかの選択ができる（Ｓ１２）。
【００２３】
次に、第一指が怪我等の理由により認証に使用出来ない場合で、第二指が認証に使用できた場合（Ｓ１３）、Ｓ８で第一指の左手中指が置き易い角度に回転した生体認証装置３を、今度は第二指である右手中指の置き易い角度になるまで回転させる作業を行う。まず、操作選択画面で認証指指定ボタン３２を操作し認証指指定画面を表示させる。画面上に右手と左手が表示されるので、第二指として登録されている右手中指ボタン３７を操作する（Ｓ１４）。すると、生体認証装置３は右手中指が置き易い角度まで自動で回転する（Ｓ１５）。ここで、第一指の時と同様の操作方法で、回転した生体認証装置３の角度微調整を行うことも出来る（Ｓ１６）。調整後、第二指にて認証操作を実施（Ｓ１７）する。この場合にも、ＩＣカードに第二指の微調整後の生体認証装置３の角度を登録するかの選択が出来る（Ｓ１８）。
【００２４】
第二指も使用出来ない場合で、第三指である右手小指で認証操作をする場合も、同様の動作を行う（Ｓ１９〜Ｓ２４）。もし、第四指、第五指・・・と登録した場合も同様の操作を続けることで対応できる。以上で認証確認の動作を終了する。
【００２５】
図９は、一実施例における生体認証装置３を回転制御するための制御フローチャートを示す。
ＡＴＭ１の制御部４には、生体認証装置３が実装された位置から計算された初期回転角度θ（図１０の符号２８）が登録される（Ｓ２５）。次に指静脈情報を読み取る（Ｓ２６）。読取られた情報の中に利用者２７の第一指情報が登録されており、第一指が置き易い角度に初期回転角度θ２８を加えた角度を制御部４で計算処理し、その角度まで生体認証装置３を回転制御する（Ｓ２７）。
【００２６】
図１０は、一実施例における生体認証装置３の位置情報の関係を示す。
生体認証装置３の実装された位置と、ＡＴＭ１の中央に利用者２７が立った場合の中心位置より初期回転角度θ２８を算出する。算出した初期回転角度θ２８を制御部４に登録し、その初期回転角度θ２８と、利用者２７の指静脈情報に登録されている第一指が置き易い角度に加算して最適な角度を算出し、その角度に生体認証装置３を回転制御させる。
【００２７】
図１１は、一実施例における指認証確認時の表示画面を示す。
指静脈認証の確認作業を行うと、操作画面２６上に確認画面が表示され、認証確認が正常終了したかどうかの確認ができる。正常終了した場合は、「確認できました」ボタン２９が点灯し、確認作業が出来ない場合は、「確認できません。やり直すか、他の指を指定して下さい。」ボタン３０が点灯する。これにより、利用者は第一指が認証指として使用できる指かどうかの判断することができる。第二指、第三指も同様の判断対象となる。
【００２８】
図１２は、一実施例における指認証時の操作選択画面を示す。
操作画面２６上に表示されている操作選択画面には、角度調整画面ボタン３１と認証指指定画面ボタン３２が表示される。このまま角度調整作業に移る場合は角度調整画面ボタン３１を、第一指が使用できない場合などで、違う認証指を指定したい場合は認証指指定画面ボタン３２を操作して各操作画面に移っていく。
【００２９】
図１３は、一実施例における角度調整画面を示す。
操作画面２６上に表示されている角度調整画面には、右回転ボタン３３と左回転ボタン３４が表示される。この右回転ボタン３３と左回転ボタン３４を操作することで、生体認証装置３を左右に微小ずつ回転させることができる。また、ＩＣカードには登録情報として、利用者２７の第一指が置き易い角度情報を持っており、その情報を微調整後の角度情報に書き換えるかどうかの選択をこの画面で行うことができる。登録情報の書き換えを行いたい場合は登録するボタン３５を操作する。逆に登録せずに次回は元の回転角度に戻したい場合は、登録しないボタン３６を操作する。
【００３０】
図１４は、一実施例における認証指指定画面を示す。
操作画面２６上に表示されている認証指指定画面には左右両方の手が表示されており、それぞれの指１０本が指指定ボタンとして機能するようになっている。第二指として登録されている指を指定すると、その指が置き易い角度まで生体認証装置３が自動で回転する。この時、生体認証装置３の実装位置情報も反映されることとなる。本実施例では、第二指に右手中指を登録しているので、右手中指ボタン３７を操作することになる。また、ＩＣカードには登録データベースとして利用者２７の第一指が左手中指、第二指が右手中指、第三指が右手小指という情報が登録されているが、この画面で指定し直した指を第一指として情報を書き換えることができる。登録情報の書き換えを行いたい場合は登録するボタン３８を操作し、登録せずに次回も元の左手中指を第一指としたい場合は、登録しないボタン３９を操作する。
【００３１】
上記したように、本実施例によれば、ＡＴＭに回転可能に取り付けられた生体認証装置は、利用者の指の置き易い角度に自動的で回転制御され、画面で微調整出来るので認証操作の操作性や認識率が向上する。また、第一認証部位が使用出来ない場合で、第二認証部位、第三認証部位を使用して認証操作した場合でも、操作性の悪化を防ぐことが出来る。
また、生体登録時に第一認証部位として登録した部位と違う部位で認証確認したい場合は、タッチパネル等の操作入力画面上で第二認証部位や第三認証部位を指定すれば、その部位が利用者にとって操作し易い角度まで生体認証装置を自動で回転させることが出来る。
【００３２】
また、ＩＣカード等の情報や画面上での指指定により回転した生体認証装置を、利用者が操作し易い角度までタッチパネル画面上のボタン操作により調整でき、調整後の情報を制御部やＩＣカード等に登録し直され、次回からは調整後の角度まで最初から自動で回転させることができる。
【図面の簡単な説明】
【００３３】
【図１】本発明の一実施例における生体認証装置を有するＡＴＭの外観図、
【図２】一実施例におけるＡＴＭの内部構成図、
【図３】一実施例における指静脈情報の登録動作を示すフローチャートを示す図、
【図４】一実施例におけるＩＣカードに登録される情報の構成例を示す図、
【図５】一実施例における指静脈情報を登録する場合の初期操作画面を示す図、
【図６】一実施例における指静脈情報登録画面を示す図、
【図７】一実施例における指静脈情報確認画面を示す図、
【図８】一実施例における指静脈による認証動作を示すフローチャートを示す図、
【図９】一実施例における生体認証装置３の回転制御のためのフローチャートを示す図、
【図１０】一実施例における生体認証装置３の位置情報の関係を示す図、
【図１１】一実施例における指認証確認時の表示画面を示す図、
【図１２】一実施例における指認証時の操作選択画面を示す図、
【図１３】一実施例における角度調整画面を示す図、
【図１４】一実施例における認証指指定画面を示す図、
【図１５】一実施例における生体認証装置３の回転機構を示す図。
【符号の説明】
【００３４】
１：ＡＴＭ              ２：操作面                ３：生体認証装置
４：制御部              ５：ＩＣカード            ６：カード読取り部
７：生体認証部          ８：硬貨入出金部          ９：紙幣入出金部
１０：通帳記帳部        １１：操作入力表示部      １２：個人ＩＤ番号
１３：名前              １４：第一指静脈情報      １５：第二指静脈情報
１６：第三指静脈情報    １７：静脈パターン        １８：登録手
１９：登録指            ２０：第一指ボタン        ２１：第二指ボタン
２２：第三指ボタン      ２３：左手中指ボタン      ２４：登録ボタン
２５：変更・修正ボタン    ２６：操作画面          ２７：利用者
２８：初期回転角度θ      ４０：回転軸            ４１：モーター
４２：回転台
【図１】
2007058613.tif 000003
【図２】
2007058613.tif 000004
【図３】
2007058613.tif 000005
【図４】
2007058613.tif 000006
【図５】
2007058613.tif 000007
【図６】
2007058613.tif 000008
【図７】
2007058613.tif 000009
【図８】
2007058613.tif 000010
【図９】
2007058613.tif 000011
【図１０】
2007058613.tif 000012
【図１１】
2007058613.tif 000013
【図１２】
2007058613.tif 000014
【図１３】
2007058613.tif 000015
【図１４】
2007058613.tif 000016
【図１５】
2007058613.tif 000017